(57)【要約】【課題】パネルの厚さに関わらずパネルを支持台に容易に設置できる金具ユニットを提供する。【解決手段】パネル３をリップ溝形鋼８０に設置する設置者は、パネル３の設置時に、軸線Ｔを中心とした周方向に連結金具３０を回転させて、係合部５６と係合する開口部を調整する。矩形状に形成された開口部の長手方向における長さは、互いに異なり、係合部５６の左右方向における長さは、下方向に向かうにつれて短くなる。つまり、係合部５６が、開口部に差し込まれて係合するそれぞれの場合で、押え金具５０が連結金具３０によって支持される上下位置は変化する。従って、設置者は、パネル３の厚さに応じて、押え部５４がパネル３を押える位置を上下方向に調整できる。よって、パネル３の厚さに関わらず、パネル３をリップ溝形鋼８０に容易に設置できる金具ユニット１００が実現する。【選択図】図２
2020003050.tif 000002
【特許請求の範囲】
【請求項１】
パネルを支持する支持台に連結する連結金具と、前記連結金具によって支持されると共に前記パネルを前記支持台に向けて押える押え金具とを備え、前記押え金具が前記パネルを押える方向と平行な方向である上下方向を軸方向とする締結部材によって、前記連結金具と前記押え金具は、前記パネルを前記支持台に固定する金具ユニットであって、
前記連結金具は、
前記上下方向と直交して延び、前記支持台と連結する連結部と、
前記連結部を前記上下方向に貫通し、前記締結部材が挿通される第一挿通孔と、
所定方向に沿って間隔を空けて前記連結部に設けられた複数の開口部と
を備え、
前記押え金具は、
上方向側から前記連結部と対向する対向部と、
前記対向部を前記上下方向に貫通し、前記締結部材が挿通される第二挿通孔と、
前記対向部から前記上方向側に延びる延設部と、
前記上下方向と交差する方向に前記延設部から延び、前記パネルを押える押え部と、
前記複数の開口部のいずれかに差し込まれて係合する係合部と
を備え、
前記上下方向と直交する特定方向における前記係合部の長さは、下方向に向かうにつれて短くなり、
それぞれの前記開口部は、前記係合部の前記特定方向における両端部と接触する第一端部及び第二端部を備え、
前記第一端部から前記第二端部までの最短長さは、複数の前記開口部ごとに互いに異なり、
前記連結金具は、前記所定方向に移動して、前記係合部と係合する前記開口部を変更可能であることを特徴とする金具ユニット。
【請求項２】
前記上下方向と前記特定方向とに直交する方向において、前記開口部と前記係合部との隙間の大きさは、前記第二挿通孔と前記締結部材の軸部との隙間の大きさよりも、小さいことを特徴とする請求項１に記載の金具ユニット。
【請求項３】
前記押え金具は、前記上下方向に延びると共に、前記上下方向と前記支持台の長手方向とに直交する第一方向に前記支持台と対向する支持台対向部を備えることを特徴とする請求項１又は２に記載の金具ユニット。
【請求項４】
前記押え金具は、前記第一方向に間隔を空けて並ぶ一対の前記支持台対向部を備えることを特徴とする請求項３に記載の金具ユニット。
【請求項５】
前記支持台対向部は、前記支持台の前記第一方向における外側の端部と対向することを特徴とする請求項３又は４に記載の金具ユニット。
【請求項６】
前記複数の開口部は、前記第一挿通孔を通過して前記上下方向に延びる軸線を中心とした周方向に沿って、間隔を空けて配置され、
前記連結金具は、前記周方向に移動して、前記係合部と係合する前記開口部を変更可能であることを特徴とする請求項１から５のいずれかに記載の金具ユニット。
【請求項７】
前記支持台であるリップ溝形鋼に前記締結部材によって固定される特定金具を備え、
前記特定金具は、
前記締結部材が挿通される挿通穴を有し、前記リップ溝形鋼の内側に配置された配置部と、
前記配置部から前記一対のリップ片よりも前記上方向側まで延びる特定延設部と
を備え、
前記連結金具は、前記連結部を前記上下方向に貫通する孔であって、前記特定延設部が挿通される特定挿通孔を有すると共に、前記リップ溝形鋼の前記上方向における端部に載置されることを特徴とする請求項１から６のいずれかに記載の金具ユニット。
【請求項８】
前記特定挿通孔は、前記複数の開口部であることを特徴とする請求項７に記載の金具ユニット。
【請求項９】
前記パネルは前記連結部に載置され、
前記連結金具は、
前記連結部から前記下方向にそれぞれ突出する一対の下突起と、
前記一対の下突起のそれぞれの下端部から、互いに近接する方向へ突出する一対の連結片と
を備え、
前記一対の連結片は、前記支持台に載置されることを特徴とする請求項１から６のいずれかに記載の金具ユニット。
【発明の詳細な説明】
【技術分野】
【０００１】
本発明は、パネルを支持台に固定する金具ユニットに関する。
【背景技術】
【０００２】
従来、パネルを支持台に固定する金具ユニットが知られている。例えば、特許文献１に開示される固定金具ユニットは、屋根部材に固定された支持台としての第一固定金具に、パネルを固定する。固定金具ユニットは、保持金具を備える。保持金具は、角根丸ボルトとナットとによって第一固定金具に固定され、パネルを上方から押える。
【先行技術文献】
【特許文献】
【０００３】
【特許文献１】特開２０１７−１５５４６５号公報
【発明の概要】
【発明が解決しようとする課題】
【０００４】
パネルのメーカによってパネルの厚さが異なる場合、及び、同一のメーカが種々の厚さのパネルを製造販売する場合がある。従って、パネルを支持台に設置する設置者は、パネルの厚さに応じて上下方向の長さが異なる多種類の保持金具を予め用意し、設置するパネルに応じた保持金具を選び出して使用する必要がある。よって、パネルを設置する作業が設置者にとって煩わしくなる場合がある。
【０００５】
本発明の目的は、パネルの厚さに関わらずパネルを支持台に容易に設置できる金具ユニットを提供することである。
【課題を解決するための手段】
【０００６】
本発明に係る金具ユニットは、パネルを支持する支持台に連結する連結金具と、前記連結金具によって支持されると共に前記パネルを前記支持台に向けて押える押え金具とを備え、前記押え金具が前記パネルを押える方向と平行な方向である上下方向を軸方向とする締結部材によって、前記連結金具と前記押え金具は、前記パネルを前記支持台に固定する金具ユニットであって、前記連結金具は、前記上下方向と直交して延び、前記支持台と連結する連結部と、前記連結部を前記上下方向に貫通し、前記締結部材が挿通される第一挿通孔と、所定方向に沿って間隔を空けて前記連結部に設けられた複数の開口部とを備え、前記押え金具は、上方向側から前記連結部と対向する対向部と、前記対向部を前記上下方向に貫通し、前記締結部材が挿通される第二挿通孔と、前記対向部から前記上方向側に延びる延設部と、前記上下方向と交差する方向に前記延設部から延び、前記パネルを押える押え部と、前記複数の開口部のいずれかに差し込まれて係合する係合部とを備え、前記上下方向と直交する特定方向における前記係合部の長さは、下方向に向かうにつれて短くなり、それぞれの前記開口部は、前記係合部の前記特定方向における両端部と接触する第一端部及び第二端部を備え、前記第一端部から前記第二端部までの最短長さは、複数の前記開口部ごとに互いに異なり、前記連結金具は、前記所定方向に移動して、前記係合部と係合する前記開口部を変更可能であることを特徴とする。
【０００７】
上記構成によれば、連結金具は、係合部と係合する開口部を変更できる。係合部と係合する開口部に応じて、連結金具によって支持される押え金具の上下位置は変化する。従って、設置者は、押え部がパネルを押える上下位置を、パネルの厚さに応じて調整できる。よって、パネルの厚さに関わらずパネルを支持台に容易に設置できる金具ユニットが実現する。
【０００８】
前記金具ユニットでは、前記上下方向と前記特定方向とに直交する方向において、前記開口部と前記係合部との隙間の大きさは、前記第一挿通孔と前記締結部材の軸部との隙間の大きさよりも、小さくてもよい。開口部は、上下方向と特定方向とに直交する方向に係合部が変位するのを規制する。従って、係合部が複数の開口部のいずれかに差し込まれたとき、金具ユニットは、押え金具の押え部が上下方向に変位するのを規制できる。よって、パネルを支持台に固定する作業は容易になる。
【０００９】
前記金具ユニットでは、前記押え金具は、前記上下方向に延びると共に、前記上下方向と前記支持台の長手方向とに直交する第一方向に前記支持台と対向する支持台対向部を備えてもよい。押え金具の支持台対向部は、第一方向における支持台の変形を抑制できる。よって、パネルは支持台に安定的に固定されることができる。
【００１０】
前記金具ユニットでは、前記押え金具は、前記第一方向に間隔を空けて並ぶ一対の前記支持台対向部を備えてもよい。一対の支持台対向部のそれぞれが、支持台の直交方向における変形を抑制できる。よって、パネルは支持台に更に安定的に固定されることができる。
【００１１】
前記金具ユニットでは、前記支持台対向部は、前記支持台の前記第一方向における外側の端部と対向してもよい。対向部は、支持台が第一方向の外側に向けて変形するのを抑制できる。
【００１２】
前記金具ユニットでは、前記複数の開口部は、前記第一挿通孔を通過して前記上下方向に延びる軸線を中心とした周方向に沿って、間隔を空けて配置され、前記連結金具は、前記周方向に移動して、前記係合部と係合する前記開口部を変更可能であってもよい。連結金具が回転移動するだけで、係合部と係合する開口部が切り替わるので、パネルを支持台に設置する作業は容易になる。
【００１３】
前記金具ユニットは、前記支持台であるリップ溝形鋼に前記締結部材によって固定される特定金具を備え、前記特定金具は、前記締結部材が挿通される挿通穴を有し、前記リップ溝形鋼の内側に配置された配置部と、前記配置部から前記一対のリップ片よりも前記上方向側まで延びる特定延設部とを備え、前記連結金具は、前記連結部を前記上下方向に貫通する孔であって、前記特定延設部が挿通される特定挿通孔を有すると共に、前記リップ溝形鋼の前記上方向における端部に載置されてもよい。特定延設部が特定挿通孔に挿通されるので、金具ユニットは、連結金具が締結部材による締結時に位置ずれするのを抑制できる。
【００１４】
前記金具ユニットでは、前記特定挿通孔は、前記複数の開口部であってもよい。複数の開口部が、特定挿通孔としての機能を兼ね備えるので、金具ユニットの構成は簡易化する。
【００１５】
前記金具ユニットでは、前記パネルは前記連結部に載置され、前記連結金具は、前記連結部から前記下方向にそれぞれ突出する一対の下突起と、前記一対の下突起のそれぞれの下端部から、互いに近接する方向へ突出する一対の連結片とを備え、前記一対の連結片は、前記支持台に載置されてもよい。パネルが上方向に付勢される場合であっても、連結部とパネルとが互いに接触しているので、一対の下突起は、一対の連結片が突出する方向と平行な方向に変形しにくい。
【図面の簡単な説明】
【００１６】
【図１】係合部５６が開口部３１に差し込まれたときのパネル固定構造１の斜視図である。
【図２】パネル固定構造１の分解斜視図である。
【図３】金具ユニット１００の断面図である。
【図４】連結金具３０の斜視図である。
【図５】押え金具５０の斜視図である。
【図６】リップ溝形鋼８０に固定される二つのパネル３の断面図である。
【図７】係合部５６が開口部３４に差し込まれたときのパネル固定構造１の斜視図である。
【図８】変形例に係る連結金具１３０の斜視図である。
【図９】変形例に係るパネル固定構造１Ａの斜視図である。
【図１０】変形例に係る押え金具１５０の斜視図である。
【図１１】変形例に係るパネル固定構造１Ｂの斜視図である。
【発明を実施するための形態】
【００１７】
本発明の一実施形態であるパネル固定構造１を説明する。本例のパネル固定構造１は、パネル３を建造物の屋根（図示略）に固定する構造である。以下、図１の上方、下方、左上方、右下方、左下方、及び右上方を、それぞれ、パネル固定構造１の上方、下方、左方、右方、前方、及び後方と定義して説明する。本実施形態の上下方向は、一例として、鉛直方向に対して傾斜した方向となる。上方向と下方向は、いずれも上下方向の一方向である。上下方向、左右方向、前後方向は互いに直交する。
【００１８】
図１に示すように、パネル固定構造１は、パネル３、リップ溝形鋼８０、及び金具ユニット１００を備える。パネル３はリップ溝形鋼８０によって支持される。金具ユニット１００は、締結部材９０とナット１０２（図２参照）によって、パネル３をリップ溝形鋼８０に固定する。締結部材９０は、上下方向を軸方向としたボルトである。
【００１９】
パネル３は、上下方向を厚さ方向とする板状であり、一例として太陽電池パネルである。パネル３は、導電性の部材を絶縁層で覆った本体部３Ａと、本体部３Ａの外周部を取り囲む枠体３Ｂとを備える。本体部３Ａを構成する導電性の部材は、光エネルギーを電力に変換する変換素子を含む。
【００２０】
リップ溝形鋼８０を説明する。リップ溝形鋼８０は、複数のボルト（図示略）及び複数のナット（図示略）によって、屋根に固定される。リップ溝形鋼８０は、溝底部８２、一対の溝壁部８４、及び一対のリップ片８６を備える。溝底部８２は矩形状であり屋根（図示略）と接触する。本例の屋根は、鉛直方向と水平方向とに対して傾斜して延びる。溝底部８２は前後方向に延びる。溝底部８２の短手方向は、リップ溝形鋼８０の溝幅方向であり、本例では左右方向と一致する。一対の溝壁部８４は、溝底部８２の短手方向の両端部から上方へ延び、溝幅方向に互いに対向する。一対の溝壁部８４の左右方向の外側端面は、リップ溝形鋼８０の左右方向の外側端部である。一対のリップ片８６は、それぞれ、一対の溝壁部８４の上端部から互いに近接する方向へ突出する。一対のリップ片８６は、リップ溝形鋼８０の上方向における端部であり、溝底部８２と上下方向に対向する。一対のリップ片８６は、パネル３を下側から支持する。
【００２１】
図２〜図５を参照し、金具ユニット１００の構成を、リップ溝形鋼８０に固定された状態を基準に説明する。図３では、リップ溝形鋼８０の図示を省略する。金具ユニット１００は、特定金具２０、連結金具３０、及び、押え金具５０を備える。
【００２２】
図２、図３で示される特定金具２０は、左右対称な形状を呈する。特定金具２０は、配置部２２、周端突部２４、及び特定延設部２６を備える。配置部２２は、平面視矩形状であり、リップ溝形鋼８０の内側に配置される。配置部２２は挿通穴２２Ａを備える。挿通穴２２Ａは、配置部２２の中央部を上下方向に貫通する円形孔である。挿通穴２２Ａには、締結部材９０の軸部９１が挿通される。締結部材９０の頭部９２は、配置部２２の下面に押し当たり、軸部９１に螺合したナット１０１が配置部２２の上面に押し当たる。これにより、締結部材９０が特定金具２０に固定される。締結部材９０の軸部９１は、リップ溝形鋼８０から上方に突出する。
【００２３】
周端突部２４は、配置部２２の周端部から上方に突出する板状である。配置部２２の左右両端から突出する周端突部２４は、リップ片８６に下方から接触する。配置部２２の前後両端から突出する周端突部２４は、リップ溝形鋼８０から離隔して前後に並ぶ。特定延設部２６は、締結部材９０を間にして左右に並ぶ位置にて配置部２２に設けられる。特定延設部２６は、側面視矩形状に形成された板状であり、配置部２２からリップ溝形鋼８０の上側まで延びる。
【００２４】
図２、図４に示すように、連結金具３０は、連結部３９、四つの角部３６、第一挿通孔３７、開口部３１〜３４、四つの特定挿通孔３５を備える。連結部３９は、平面視で略正方形状に形成され、上下方向と直交して延びる。本例の連結部３９は、一対のリップ片８６の上面に載置されることによって、リップ溝形鋼８０と直接的に連結する。四つの角部３６は、それぞれ、連結部３９の四隅を構成する。角部３６は、上側に向けて折れ曲がると共に、上方に向かうに従い先細る。角部３６の上端部は、パネル３の本体部３Ａの下面に形成された絶縁層を貫通し、パネル３が有する導電性の部材と接触する。従って、連結金具３０はパネル３を接地する。
【００２５】
第一挿通孔３７は、連結部３９の中央部を上下方向に貫通する円形孔である。以下、第一挿通孔３７の中心を通過して上下方向に延びる軸線を、軸線Ｔと称す。軸線Ｔは、締結部材９０の軸線と一致する。第一挿通孔３７には、締結部材９０の軸部９１が挿通される。
【００２６】
開口部３１〜３４は、軸線Ｔを中心とした周方向に沿って間隔を空けて連結部３９に設けられる。開口部３１〜３４は、いずれも、連結部３９を上下方向に貫通する矩形孔である。開口部３１〜３４の短手方向は、軸線Ｔと直交する水平な方向である。開口部３１、３３は、第一挿通孔３７を間にして水平に並び、開口部３２、３４は、第一挿通孔３７を間にして水平に並ぶ。
【００２７】
以下、開口部３１の長手方向における両端部を第一端部３１Ａと第二端部３１Ｂと称す。同様に、開口部３２の長手方向における両端部を第一端部３２Ａと第二端部３２Ｂ、開口部３３の両端部を第一端部３３Ａと第二端部３３Ｂ、開口部３４の両端部を第一端部３４Ａと第二端部３４Ｂと、それぞれ称す。
【００２８】
第一端部３１Ａから第二端部３１Ｂまでの最短長さ（図５の寸法Ｌ）は、開口部３１の長手方向の長さである。同様に、第一端部３２Ａから第二端部３２Ｂまでの最短長さ、第一端部３３Ａから第二端部３３Ｂまでの最短長さ、第一端部３４Ａから第二端部３４Ｂまでの最短長さは、それぞれ、開口部３２〜３４の長手方向の長さである。開口部３１〜３４の長手方向における長さは、互いに異なる。本実施形態では、開口部３１の長手方向の長さが最も長く、開口部３３の長手方向の長さが二番目に長く、開口部３２、３４が順に続く。尚、開口部３１〜３４の短手方向における長さは、互いに略同一である。
【００２９】
四つの特定挿通孔３５は、それぞれ、開口部３１〜３４のいずれかに対して第一挿通孔３７とは反対側に配置される。特定挿通孔３５は、連結部３９を上下方向に貫通する矩形孔である。四つの特定挿通孔３５は、全て同一形状である。四つの特定挿通孔３５のうちで、第一挿通孔３７を間にして左右に並ぶ二つの特定挿通孔３５に、特定金具２０の二つの特定延設部２６が挿通される。特定挿通孔３５の長手方向の長さは、特定延設部２６の左右方向長さよりも短い。従って、特定挿通孔３５と特定延設部２６との間には、左右方向に隙間が形成される。
【００３０】
図２、図５に示すように、押え金具５０は、単一の金具である。押え金具５０は、対向部５２、一対の延設部５３、一対の押え部５４、係合部５６、及び一対の支持台対向部５９を備える。対向部５２は、平面視で略形状であり、上下方向と直交して延びる。対向部５２は、連結金具３０の連結部３９に対して上方向側から対向する。第二挿通孔５８は、軸線Ｔと中心とする円形状であり、対向部５２を上下方向に貫通する。第二挿通孔５８には、締結部材９０の軸部９１が挿通される。第二挿通孔５８から上方に突出する軸部９１に螺合したナット１０２は、対向部５２の上面に押し当たる。これにより、特定金具２０、連結金具３０、及び、押え金具５０は、締結部材９０によって互いに固定される。
【００３１】
一対の延設部５３は、それぞれ、対向部５２の前後両端から上方向側に延びる。一対の押え部５４は、それぞれ、一対の延設部５３から前後方向外側に延びる。一対の押え部５４は、それぞれ、互いに異なるパネル３（より詳細にはパネル３の枠体３Ｂ）を下方に押さえる（図６参照）。
【００３２】
係合部５６は、前後方向に厚さを有する板状であり、対向部５２の前端から下方に突出する。本例の係合部５６の左右両端部は、いずれも、係合部５６の左右方向の中心に向けて下側へ直線状に傾斜する。つまり、係合部５６の左右方向における長さは、下方に向かうに従い短くなる。係合部５６は、開口部３１〜３４のいずれかに差し込まれて係合する。これにより、押え金具５０は連結金具３０によって支持される。
【００３３】
尚、係合部５６が差し込まれた開口部３１〜３４のいずれかと、係合部５６との間に前後方向に生じる隙間は、第二挿通孔５８と軸部９１との間に前後方向に生じる隙間よりも小さい。図３では、開口部３１と係合部５６の前後方向における隙間の大きさを寸法Ｍ１で図示し、第二挿通孔５８と軸部９１の間の前後方向における隙間の大きさを寸法Ｍ２で図示する。
【００３４】
図１に示すように、一対の支持台対向部５９は、前後方向に厚さを有する板状であり、対向部５２の前端から下方に延びる。一対の支持台対向部５９は、係合部５６を間にして左右方向に並ぶと共に、リップ溝形鋼８０の一対の溝壁部８４に対して左右方向の外側から対向する。支持台対向部５９の下端は、係合部５６の下端よりも下側となる上下位置にある。
【００３５】
図１、図２、及び、図６を参照し、前後方向に並ぶ二つのパネル３をリップ溝形鋼８０に固定する方法を説明する。パネル３の設置前、リップ溝形鋼８０は、前後方向に延びる姿勢で建造物の屋根に固定され、二つのパネル３が一対のリップ片８６に前後に並べて載置されている（図６参照）。二つのパネル３を固定するために、設置者は、金具ユニット１００を三セット分用意する（図６参照）。設置者は、用意した金具ユニット１００を順に仮組みしながら、金具ユニット１００とパネル３の位置関係を調整して、金具ユニット１００をパネル３と共にリップ溝形鋼８０に固定する。
【００３６】
金具ユニット１００の仮組み方法を説明する。設置者は、前方にあるパネル３よりも前側で、金具ユニット１００をリップ溝形鋼８０に仮組みする。図２に示すように、ナット１０１によって締結部材９０が固定された特定金具２０を、設置者はリップ溝形鋼８０の内側に配置する。左右に並ぶ周端突部２４が一対のリップ片８６の下方に配置された状態で、設置者は特定金具２０を保持する。
【００３７】
設置者は、開口部３１が開口部３２〜３４よりも前側で左右方向に延びるように連結金具３０の姿勢を調整してから、連結金具３０を一対のリップ片８６に載置する。このとき、第一挿通孔３７に軸部９１が挿通され、左右に並ぶ二つの特定挿通孔３５に二つの特定延設部２６が挿通される。特定挿通孔３５に特定延設部２６が挿通されることによって、連結金具３０は、軸部９１を中心とした回転が規制される。特定延設部２６が挿通された後、連結金具３０は一対のリップ片８６に載置される。
【００３８】
設置者は、特定金具２０を保持したまま、押え金具５０を上方から連結金具３０に取り付ける。第二挿通孔５８に軸部９１が挿通され、係合部５６が開口部３１に差し込まれる。係合部５６の左右両端が、第一端部３１Ａと第二端部３１Ｂ（図４参照）に上方から接触し、係合部５６は開口部３１に係合する。これにより、押え金具５０は上下に位置決めされて、連結金具３０によって支持される。一対の支持台対向部５９は、一対の溝壁部８４に対して左右方向の外側から対向する。
【００３９】
設置者は、第二挿通孔５８から上方に突出する軸部９１にナット１０２を螺合させる。設置者が、対向部５２から上方に離れた位置にナット１０２を配置することにより、金具ユニット１００は、仮組みされる（図６参照）。設置者が特定金具２０から手を離しても、ナット１０２が対向部５２に当接することで、特定金具２０は保持される。
【００４０】
金具ユニット１００の仮組みがなされたとき、軸部９１と第一挿通孔３７との間で前後方向に生じる隙間よりも、係合部５６と開口部３１との間で前後方向に生じる隙間の方が小さい。従って、押え部５４が上下動する揺動方向（矢印Ｋ）に押え金具５０が開口部３１を支点に揺動するのを、開口部３１は適度に規制できる。
【００４１】
設置者は、仮組みされた金具ユニット１００と、前方にあるパネル３の前端部の位置関係を調整する。設置者は、押え金具５０を持ち上げた状態で（このとき特定金具２０も上昇する）、金具ユニット１００をリップ片８６に沿って移動させる。同時に、設置者は、前方にあるパネル３の前端部を数ミリメートル持ち上げ、連結部３９の後端部と後側にある押え部５４の間に配置する。後側にある二つの角部３６（図４参照）の上端部が本体部３Ａの下面と接触し、後側にある押え部５４はパネル３の枠体３Ｂ（図２参照）に上方から接触する。
【００４２】
設置者は、ナット１０２を、対向部５２に押し当たるように締付ける。ナット１０２が締付けられる過程で、特定金具２０は上昇し、左右に並ぶ二つの周端突部２４は、それぞれ一対のリップ片８６に下方から押し当たる。同時に、押え金具５０の押え部５４は、パネル３の枠体３Ｂをリップ溝形鋼８０に向けて下方に押える。これにより、金具ユニット１００は、パネル３の前端部と共にリップ溝形鋼８０に固定され、パネル３はリップ溝形鋼８０に設置される。
【００４３】
同様の作業により、設置者は、二つのパネル３の間で仮組みした金具ユニット１００を配置し、金具ユニット１００の前後位置を調整する。設置者は、前方にあるパネル３の後端部を、連結部３９の前端部と、前方にある押え部５４の間に配置する。その後、設置者は、後方にあるパネル３を前方に向けて移動させ、連結部３９の後端部と、後方にある押え部５４の間に配置する。このときも、二つのパネル３の間において、開口部３１が押え金具５０の揺動を規制しているので、後側にあるパネル３の前端部は、連結部３９と押え部５４の間に配置され易い。設置者がナット１０２を強固に締付けることで、前後にある押え部５４は、それぞれ、二つのパネル３をリップ溝形鋼８０に向けて下方に押さえつける。
【００４４】
設置者は、上記の作業を繰り返すことで、後方にあるパネル３よりも後側で、金具ユニット１００を仮組みする。最後方にある金具ユニット１００の姿勢は、前にある二つの金具ユニット１００に対して前後対称な姿勢となる。設置者は、連結部３９と押え部５４が、後側のパネル３の後端部を挟み込むように、金具ユニット１００を配置した後、ナット１０２を強固に締付ける。以上の作業によって、設置者は、二つのパネル３を三つの金具ユニット１００と共にリップ溝形鋼８０に固定して設置できる。
【００４５】
図７を参照し、パネル３よりも厚いパネル４をリップ溝形鋼８０に固定する方法を説明する。パネル４は、パネル３よりも厚いことを除き、パネル３と同じ構成である。以下、パネル３の固定方法と同様の方法の説明を省略しつつ、パネル４の前端部を固定する方法を説明する。
【００４６】
設置者は、締結部材９０が固定された特定金具２０をリップ溝形鋼８０の内側に配置した後、連結金具３０を一対のリップ片８６に配置する。このとき、設置者は、開口部３４が開口部３１〜３３よりも前側で左右方向に延びるよう、連結金具３０の姿勢を調整する。尚、連結金具３０の姿勢の調整は、連結金具３０を軸部９１に挿通させる前に行ってもよい。
【００４７】
設置者は、押え金具５０を上方から連結金具３０に取り付け、係合部５６を開口部３４に差し込んで係合させる。開口部３４の長手方向の長さは、開口部３１の長手方向の長さよりも短く、且つ、係合部５６の左右方向の長さは下側に向かう程短くなる。これにより、係合部５６が開口部３４に係合するときの押え金具５０の上下位置は、係合部５６が開口部３１に係合するときの押え金具５０の上下位置よりも高い。従って、押え部５４は、パネル４を上方から押えることが可能な上下位置にて、連結金具３０によって支持される。設置者は、ナット１０１を対向部５２に強固に押し当てることで、パネル４をリップ溝形鋼８０に固定させることができる。
【００４８】
設置者は、開口部３２、３３を係合部５６に係合させることにより、支持される押え金具５０の上下位置を更に変更できる。つまり、金具ユニット１００は、開口部３２、３３のいずれかを係合部５６と係合せることで、パネル３、４とは厚さのことなるパネル（図示略）をリップ溝形鋼８０に固定させることができる。
【００４９】
以上、説明したように、パネル３をリップ溝形鋼８０に設置する設置者は、軸線Ｔを中心とした周方向に連結金具３０を回転させて、係合部５６と係合する開口部３１〜３４を調整する。矩形状に形成された開口部３１〜３４の長手方向における長さは互いに異なり、係合部５６の左右方向における長さは下方向に向かうにつれて短くなる。つまり、係合部５６が開口部３１〜３４に差し込まれて係合するそれぞれの場合で、押え金具５０が連結金具３０によって支持される上下位置は変化する。従って、押え部５４がパネル３、４を押える上下位置を、設置者はパネル３、４の厚さに応じて調整できる。よって、パネル３、４の厚さに関わらず、パネル３、４をリップ溝形鋼８０に容易に設置できる金具ユニット１００が実現する。また、パネル３、４の厚さに応じた複数種類の押え金具５０を用意する必要がないので、押え金具５０の加工時に使用される金型を複数種類用意する必要がなく、初期投資額（イニシャルコスト）を低減できる。さらに、パネル３の設置作業前に金具ユニット１００を例えば倉庫等の場所で保管する場合、保管される押え金具５０が一種類だけで済むので、歩留まりを低減させることができる。
【００５０】
前後方向において、開口部３１〜３４のそれぞれと係合部５６の隙間の大きさ（図３の寸法Ｍ１）は、第二挿通孔５８と軸部９１との隙間の大きさ（図３の寸法Ｍ２）よりも小さい。これにより、金具ユニット１００の仮組みがなされた場合に、開口部３１〜３４のそれぞれは、係合部５６が前後方向に変位するのを規制する。従って、係合部５６が開口部３１〜３４のいずれかに差し込まれたとき、押え部５４が上下する方向に押え金具５０が揺動するのを金具ユニット１００は規制できる。よって、パネル３は、連結部３９と押え部５４の間に配置し易くなるので、パネル３をリップ溝形鋼８０に固定する作業は容易になる。
【００５１】
押え金具５０は、一対の支持台対向部５９を備える。一対の支持台対向部５９は、左右方向の外側から一対の溝壁部８４と対向する。屋外に設置されるパネル３は、例えばパネル３の下側に入り込んだ強風によって、上方に向けて付勢される場合がある。この場合、パネル３が押え部５４を上方に付勢するので、左右方向に並ぶ周端突部２４が一対のリップ片８６を上方に付勢する。この結果、一対の溝壁部８４は左右方向外側に向けて撓む（即ち変形する）。本実施形態では、一対の支持台対向部５９が一対の溝壁部８４の撓みを抑制できる。よって、パネル３は、リップ溝形鋼８０に安定的に設置されることができる。本実施形態では、一対の支持台対向部５９が、それぞれ、一対の溝壁部８４の撓みを抑制できる。よって、パネル３は、リップ溝形鋼８０に更に安定的に設置されることができる。尚、設置されたパネル３の上方への付勢は、強風による場合の他、例えば設置者の足が誤ってパネル３にぶつかってしまう場合、及び、設置者の安全帯がパネル３に下側から引っ掛かる場合にも生じる。
【００５２】
前記連結金具３０は、軸線Ｔを中心とした周方向に回転移動することで、係合部５６と係合する開口部３１〜３４を変更する。連結金具３０が回転移動するだけで、係合部５６と係合する開口部３１〜３４が切り替わるので、パネル３をリップ溝形鋼８０に設置する作業は容易になる。
【００５３】
一対の特定延設部２６は、それぞれ、左右方向に並ぶ一対の特定挿通孔３５に挿通される。ナット１０１が軸部９１に螺合させることに伴って、押え金具５０が上下方向を軸方向とした周方向に付勢される場合、係合部５６は、開口部３１〜３４のいずれかを介して、連結部３９を周方向に付勢する。この場合であっても、設置者によって保持される特定金具２０の特定延設部２６が、特定挿通孔３５を介して連結金具３０の回転を規制する。よって、金具ユニット１００は、締結部材９０による締結時に連結金具３０が回転移動して位置ずれするのを抑制できる。
【００５４】
上記実施形態において、リップ溝形鋼８０は、本発明の「支持台」の一例である。一対の溝壁部８４は、本発明の「外側の端部」の一例である。左右方向は、本発明の「特定方向」、「第一方向」の一例である。
【００５５】
本発明は、種々の変更が可能である。リップ溝形鋼８０、金具ユニット１００、及びパネル３は、建造物の屋根に固定される代わりに、例えば、コンテナ等の移動可能な構造物の上面に固定されてもよい。コンテナの上面が水平方向と平行に形成されているのでれば、本明細書で定義した上下方向は、鉛直方向と一致する。パネル３は、太陽電池パネルに代えて、例えば光反射板等の板状部材であってもよいし、温水パネルであってもよい。
【００５６】
一対の支持台対向部５９は、対向部５２の前端に設けられる代わりに、対向部５２の後端に設けられてもよい。この場合、一対の支持台対向部５９は、図２で示される左右方向位置よりも、対向部５２の左右方向中心側に配置されてもよい。一対の支持台対向部５９が、それぞれ、一対のリップ片８６に対して左右方向の内側から対向することによって、金具ユニット１００は、一対の溝壁部８４が左右方向に撓むのを抑制できる。金具ユニット１００は、一対の支持台対向部５９に代えて、単一の支持台対向部５９を備えてもよい。この場合でも、金具ユニット１００は、一対の溝壁部８４の一方が、左右方向に撓むのを抑制できる。
【００５７】
第一挿通孔３７と第二挿通孔５８は、円形状の孔である代わりに、例えば、多角形状の孔であってもよい。挿通穴２２Ａは、上下方向に開口する代わりに、上方のみに開口していてもよい。この場合、挿通穴２２Ａの内側に雌ネジが形成されていれば、締結部材９０は、ボルトではなく、螺子部材となる。螺子部材の上端部に形成された頭部が、対向部５２を上方から押えれば、金具ユニット１００は、螺子部材によってパネル３をリップ溝形鋼８０に固定できる。軸部９１に螺合するナット１０１は、配置部２２の上面に押し当たる代わりに、連結部３９の上面に押し当たってもよい。この場合、押え金具５０の対向部５２は、ナット１０１を間にして、連結金具３０の連結部３９と上下方向に対向する。
【００５８】
開口部３１〜３４は、平面視で矩形状に形成された孔である代わりに、例えば、平面視で円形状に形成された上方のみに開口する穴であってもよい。開口部３１〜３４の内径が夫々異なれば、係合部５６を支持する上下位置は、開口部３１〜３４のそれぞれで互いに異なる。さらに、この場合、係合部５６は前後方向に厚さを有する板状であってもよいし、下方に向けて膨らむ半球状であってもよい。係合部５６が下方に向けて膨らむ半球状であれば、上下方向と直交する任意の方向における係合部５６の長さは、下方向に向かうにつれて短くなる。開口部３１〜３４が平面視で円形状であり、且つ係合部５６が半球状である場合、上下方向と直交する任意の方向がいずれも、本発明の「特定方向」、「上下方向と特定方向とに直交する方向」の一例となる。
【００５９】
金具ユニット１００は、連結金具３０、ナット１０１、及び、特定延設部２６を備えなくてもよい。この場合、開口部３１〜３４は、連結金具３０の対向部５２に代えて、特定金具２０の配置部２２に形成されればよい。本変形例では、特定金具２０が、周端突部２４を介して下側から一対のリップ片８６に接触することで、リップ溝形鋼８０に連結する。本変形例では、特定金具２０が、本発明の「連結金具」の一例となる。
【００６０】
特定延設部２６が、図２で示される位置よりもさらに挿通穴２２Ａに近い位置に設けられ、開口部３１〜３４のいずれか二つに挿通可能であってもよい。この場合、特定挿通孔３５は、連結部３９に設けられないので、金具ユニット１００の構成は簡易になる。本変形例において、開口部３１〜３４は、本発明の「複数の開口部」と「特定挿通孔」のそれぞれの一例となる。
【００６１】
図８に示すように、連結金具３０（図４参照）に代えて連結金具１３０が金具ユニット１００に採用されてもよい。以下、上記実施例と同一の部材については、図面上で同一の符号を付与し、詳細な説明を適宜省略する（以下で示す別の変形例の説明でも同様である）。
【００６２】
連結金具１３０は、連結部３９、第一挿通孔１３７、及び、開口部３１〜３４を備える。連結部３９は、一対のリップ片８６（図２参照）に載置される。第一挿通孔１３７は、連結部３９の中央部を上下方向に貫通すると共に、前後方向に長い長孔である。第一挿通孔１３７には、軸部９１（図２参照）が挿通される。開口部３１〜３４は、いずれも左右方向に延びる矩形孔であり、前方から順に配置される。開口部３１、３２は第一挿通孔１３７の前方に配置され、開口部３３、３４は第一挿通孔３７の後方に配置される。
【００６３】
上記構成であっても、例えば、軸部９１が第一挿通孔１３７に挿通された状態で、設置者は、第一挿通孔１３７の長手方向である前後方向に連結金具１３０を移動させ、開口部３１〜３４のいずれかを係合部１５６に差し込ませることができる。これにより、設置者は、押え金具５０（図２参照）が支持される上下位置を変更できる。尚、係合部５６が開口部３４に差し込まれると、連結金具１３０は最前方に配置されるが、このとき、連結金具１３０はパネル３よりも前方に配置され、パネル３は一対のリップ片８６に直接的に載置され支持される。
【００６４】
図９を参照し、パネル固定構造１の変形例であるパネル固定構造１Ａを説明する。パネル固定構造１Ａは、リップ溝形鋼８０に代えて支持台１８０を備え、金具ユニット１００に代えて金具ユニット１０３を備える。支持台１８０は、パネル３の四隅それぞれの真下に配置されると共に、屋根に固定される。支持台１８０は、後設置部１８２、前設置部１８１、及び、延設部１８４を備える。後設置部１８２は、支持台１８０の後端部であり、右側面視コの字状である。前設置部１８１は、支持台１８０の前端部であり、後設置部１８２と略前後対称な形状を呈する。延設部１８４は、前後方向に延び、後設置部１８２の上端と前設置部１８１の上端とを連結する。延設部１８４は、載置されるパネル３を下側から支持する。延設部１８４には、上下方向に開口し且つ前後方向に延びる貫通孔１８４Ａを備える。貫通孔１８４Ａには、締結部材９０の軸部９１が挿通される。
【００６５】
金具ユニット１０３の構成を説明する。金具ユニット１０３は支持台１８０に固定される。金具ユニット１０３は、特定金具２０に代えて特定金具１２０を備える。特定金具１２０は、正面視で略Ｕ字状のである。特定金具１２０の左右方向の両端部は、延設部１８４を間にして左右方向に並ぶ。尚、特定金具２０の左右方向の両端部は、一対の支持台対向部５９よりも後方となる前後位置にある。
【００６６】
特定金具１２０の左右方向の中央部には、貫通孔１８４Ａの下方で上下方向に開口する挿通孔１２１が設けられる。挿通孔１２１には、軸部９１が挿通される。軸部９１に螺合したナット１０１が、特定金具１２０の上面に押し当たることで、締結部材９０は特定金具１２０に固定される。
【００６７】
金具ユニット１０３の連結金具３０は、延設部１８４に上方から載置される。金具ユニット１０３の押え金具５０の一対の支持台対向部５９は、左右方向の外側から、延設部１８４に対向する。上記構成であっても、第二挿通孔５８から上方に突出する軸部９１に、ナット１０２が螺合して対向部５２に押し当てられることで、金具ユニット１０３は、パネル３と共に支持台１８０に固定される。
【００６８】
図１０を参照し、押え金具５０の変形例である押え金具１５０を説明する。押え金具１５０は、上金具１５１と下金具１５２を備える。上金具１５１は、対向部５２、一対の延設部５３、一対の押え部５４を備える。対向部５２の左右方向中央部には、第二挿通孔５８が設けられる。
【００６９】
下金具１５２は、板部１６７、一対の支持台対向部５９、及び、係合部１５５、１５６を備える。板部１６７は、上下方向に直交して延びる。板部１６７の左右方向中央部には、上下方向に開口する下開口孔１６８が形成される。下開口孔１６８は、連結金具３０の第一挿通孔３７と、上金具１５１の第二挿通孔５８との間に設けられる。下開口孔１６８は、締結部材９０（図２参照）の軸部９１が挿通される。
【００７０】
係合部１５５は、前後方向に厚さを有する板状であり、板部１６７の後端から下方に延びる。係合部１５６の左右方両端部は、いずれも、係合部５６の左右方向の中心に向けて下側へ直線状に傾斜する。係合部１５６の左右両端部の勾配は、係合部５６（図５参照）の左右両端部の勾配とは異なる。従って、係合部１５６が開口部３１〜３４に係合して位置決めされる上下位置は、いずれも、係合部５６が開口部３１〜３４に係合して位置決めされる上下位置とは異なる。
【００７１】
係合部１５６について説明する。係合部１５６は、前後方向に厚さを有する板状であり、板部１６７の前端から下方に延びる。係合部１５６の左右方向の長さは、所定の上下位置を境に上側よりも下側の方が段状に短くなる。つまり、係合部１５６の左右方向における長さは、下方向に向かうにつれて短くなる。係合部１５６は、上側から順に且つ左右方向外側から順に、一対の第一当接部１６１、一対の第二当接部１６２、一対の第三当接部１６３、及び一対の第四当接部１６４を備える。一対の第一当接部１６１、一対の第二当接部１６２、一対の第三当接部１６３、及び、一対の第四当接部１６４は、それぞれ、係合部１５６の左右方向における両端部の一部を構成する。
【００７２】
設置者は、軸部９１（図２参照）を中心に連結金具３０を回転させ、且つ下開口孔１６８を中心に下金具１５２を回転させる。これにより、設置者は、係合部１５５、１５６のいずれかを、開口部３１〜３４のいずれかに差し込んで係合させることができる。以下、係合部１５６が開口部３１〜３４のいずれかに差し込まれる場合を説明する。
【００７３】
係合部１５６が開口部３１に差し込まれるとき、一対の第一当接部１６１の左右方向の内側端部が、第一端部３１Ａと第二端部３１Ｂに当接する上下位置にて、係合部１５６は開口部３１に係合して支持される。係合部１５６が開口部３３に差し込まれるとき、一対の第二当接部１６２の左右方向の内側端部が、第一端部３３Ａと第二端部３３Ｂに当接する。同様に、係合部１５６が開口部３２に差し込まれるとき、一対の第三当接部１６３の左右方向の内側端部が、第一端部３２Ａと第二端部３２Ｂに当接する。係合部１５６が開口部３４に差し込まれるとき、一対の第四当接部１６４の左右方向の内側端部が、第一端部３４Ａと第二端部３４Ｂに当接する。
【００７４】
係合部１５６が差し込まれる開口部３１〜３４に応じて、開口部３１〜３４と当接する一対の当接部１６１〜１６４が異なる。つまり、係合部１５６が開口部３１〜３４に上下方向に差し込まれる差込量が異なるので、開口部３１〜３４によって位置決めされる押え金具１５０の上下位置は変化する。従って、押え金具５０に代えて押え金具１５０が採用された場合であっても、パネル３、４の厚さの厚さに関わらず、パネル３、４をリップ溝形鋼８０に容易に設置できる。さらに、本変形例の下金具１５２は、係合部１５６に加えて係合部１５５を備えるので、合計で８種類の厚さのパネル３に対応できる。
【００７５】
尚、下金具１５２は、図１０で示す状態から、軸部９１（図２参照）を中心に９０度回転させた姿勢で、上金具１５１に固定されてもよい。この場合、係合部１５６の前後方向の長さが下方向に向かうに従い短くなる。
【００７６】
図１１を参照し、パネル固定構造１の変形例であるパネル固定構造１Ｂを説明する。パネル固定構造１Ｂは、リップ溝形鋼８０（図２参照）に代えて支持台２８０を備え、金具ユニット１００（図２参照）に代えて金具ユニット１０４を備える。
【００７７】
支持台２８０は、右側面視で略逆Ｕ字状の板状部材であり、屋根材（図示略）に固定される下端部を有する。支持台２８０は、平面視で略正方形状の板部２８１を備える。板部２８１は、屋根材（図示略）に間隔を空けて上方から対向する。板部２８１には、締結部材２９０が挿通される円形孔２８１Ａが設けられる。締結部材２９０はボルトである。
【００７８】
金具ユニット１０４は、連結金具２３０、及び、押え金具２５０を備える。連結金具２３０は、連結部２３１、一対の下突起２３３、及び、一対の連結片２３５を備える。連結部２３１は、連結金具２３０の上端部を形成する矩形状の板である。一対の下突起２３３は、連結部２３１の短手方向の両端から下方に突出する。一対の連結片２３５は、一対の下突起２３３の下端部から、互いに近接する方向へ突出する。一対の連結片２３５は、支持台２８０の板部２８１に載置されることで、支持台２８０に直接的に連結する。
【００７９】
連結部２３１には、第一挿通孔２３１Ａと、開口部３３１〜３３４とが設けられる。第一挿通孔２３１Ａは、支持台２８０の円形孔２８１Ａと、押え金具５０の第二挿通孔５８との間に配置され、締結部材２９０が挿通される。開口部３３１〜３３４は、第一挿通孔２３１Ａの周囲に配置され、開口部３１〜３４と同一形状である。押え金具２５０は、一対の支持台対向部５９（図２参照）を備えない点を除き、押え金具５０と同一構成である。
【００８０】
第一挿通孔２３１Ａに締結部材２９０が挿通された連結金具２３０を、締結部材２９０の軸部を中心に回転させることで、設置者は、係合部５６と係合する開口部３３１〜３３４を選択する。例えば、開口部３３２を係合部５６に差し込ませるときには、設置者は、連結金具２３０を図１１に示す姿勢から、締結部材２９０の軸部を中心に平面視で反時計回りに約９０度回転させればよい（このとき、連結金具２３０は左右方向に延びる姿勢となる）。
【００８１】
その後、設置者は、パネル３を連結金具２３０の連結部２３１に載置する。これにより、支持台２８０は、連結金具２３０を介して間接的にパネル３を支持する。設置者がナット１０２を締結部材２９０に挿通して締結させれば、金具ユニット１０４はパネル３を支持台２８０に固定できる。
【００８２】
金具ユニット１０４では、連結部２３１とパネル３とが互いに接触し、且つ、一対の下突起２３３が連結部２３１から下方に突出する。従って、パネル３が上方向に付勢される場合であっても、一対の下突起２３３は、左右方向に変形しにくい。
【符号の説明】
【００８３】
３、４        パネル
２０          特定金具
２２          配置部
２２Ａ        挿通穴
２６          特定延設部
３０          連結金具
３１〜３４、３３１〜３３４        開口部
３１Ａ、３２Ａ、３３Ａ、３４Ａ    第一端部
３１Ｂ、３２Ｂ、３３Ｂ、３４Ｂ    第二端部
３５                              特定挿通孔
３９、２３１                      連結部
５２          対向部
５３          延設部
５４          押え部
５６、１５６  係合部
５８          第二挿通孔
５９          支持台対向部
８０          リップ溝形鋼
８４          溝壁部
９０          締結部材
９１          軸部
１００、１０３、１０４            金具ユニット
１５０        押え金具
１８０、２８０                    支持台
２３３        下突起
２３５        連結片
【図１】
2020003050.tif 000003
【図２】
2020003050.tif 000004
【図３】
2020003050.tif 000005
【図４】
2020003050.tif 000006
【図５】
2020003050.tif 000007
【図６】
2020003050.tif 000008
【図７】
2020003050.tif 000009
【図８】
2020003050.tif 000010
【図９】
2020003050.tif 000011
【図１０】
2020003050.tif 000012
【図１１】
2020003050.tif 000013